(57)【要約】      （修正有）【課題】煙草の火の消し忘れを好適に防止できると共に、容易に清掃することができる灰皿を提供する。【解決手段】灰皿本体２と、消火液を貯留する上部開口状の消火容器３を備え、消火容器３を灰皿本体２に着脱自在に取付け可能とする取付手段４を設けており、取付手段４は、灰皿本体２の上方から、消火容器３の周壁を灰皿本体２に貫設した筒部に内嵌するように構成されており、消火容器３を灰皿本体２に取付けた状態で、消火容器３の上部開口を囲むフランジ９を設けている。【選択図】図１
0003190385.tif 000002
【実用新案登録請求の範囲】
【請求項１】
灰皿本体(2)と、消火液を貯留する上部開口状の消火容器(3)を備えており、
前記消火容器(3)を灰皿本体(2)に着脱自在に取付け可能とする取付手段(4)を設けて成ることを特徴とする灰皿。
【請求項２】
前記取付手段(4)は、灰皿本体の上下方向に貫設された筒部(10)と、消火容器の周壁(11)により構成されており、灰皿本体の上方から前記周壁(11)を前記筒部(10)に内嵌するように構成されて成ることを特徴とする請求項１に記載の灰皿。
【請求項３】
前記消火容器(3)を灰皿本体(2)に取付けた状態で、前記消火容器の上部開口(8)を囲むフランジ(9)を設けて成ることを特徴とする請求項１又は２に記載の灰皿。
【考案の詳細な説明】
【技術分野】
【０００１】
本考案は、喫煙用の灰皿に関するものであり、特に、煙草の火の消し忘れを好適に防止する灰皿に関する。
【背景技術】
【０００２】
煙草の喫煙に関して、火の消し忘れは、消防上、好ましくないばかりか、複数の吸殻に燃え移ることにより、成長した煙が広範囲に空気を汚染する問題がある。
【０００３】
このため、公共の場等においては、深底状の灰皿の底部に水を溜め、吸殻を水中に投棄させるようにしている。
【先行技術文献】
【特許文献】
【０００４】
【特許文献１】実用新案登録第３０９２９３８号公報
【考案の概要】
【考案が解決しようとする課題】
【０００５】
しかしながら、善良な喫煙者は、灰皿に投棄した吸殻が水中で消火されたことを目視により確認することが困難なため、不安を払拭できないのが現状である。
【０００６】
しかも、灰皿自体により貯水槽を構成しているので、紙巻き煙草の場合、投棄された吸殻が水中でバラバラに分解され、灰と紙片と葉が水に混合されてしまうため、このような混合水を下水道に廃棄することは好ましくない。
【課題を解決するための手段】
【０００７】
本考案は、上記のような問題を解決した喫煙用の灰皿を提供するものであり、その手段として構成したところは、灰皿本体と、消火液を貯留する上部開口状の消火容器を備えており、前記消火容器を灰皿本体に着脱自在に取付可能とする取付手段を設けて成る点にある。
【０００８】
本考案の好ましい実施形態において、前記取付手段は、灰皿本体の上下方向に貫設された筒部と、消火容器の周壁により構成されており、灰皿本体の上方から前記周壁を前記筒部に内嵌するように構成されている。
【０００９】
本考案の灰皿は、前記消火容器を灰皿本体に取付けた状態で、前記消火容器の上部開口を囲むフランジを設けていることが好ましい。
【考案の効果】
【００１０】
請求項１に記載の本考案によれば、喫煙に際して、喫煙後の煙草は、火の付いた先端部を消火容器３の上部開口８から消化液Ｗに浸漬することにより、極めて簡単に、瞬時に消火することができ、吸殻が消火されたことを目視により確認した後に灰皿本体２に投棄することができる。従って、火の消し忘れが防止され、消防上、安全であると共に、消し忘れによる煙が空気を汚染することもない。そして、不使用時には、灰皿本体２と消火容器３を分離することにより、簡単容易に清掃することができる。
【００１１】
請求項２に記載の本考案によれば、灰皿本体２の清掃に際して、取付手段４を構成する筒部１０に灰粉が進入して付着する可能性があるが、筒部１０を底壁５に貫通させているので、該筒部１０の外部に容易に排出させることができる。
【００１２】
請求項３に記載の本考案によれば、喫煙に際して、フランジ９を載置手段１３として火の付いた煙草を載せることができるので、便利である。しかも、消火容器３に消火液を充満させている場合、該消火液が上部開口８から流出するおそれがあるが、フランジ９が液受手段１４として機能することにより消火液を受止めるので、灰皿本体２に液体が滞留することはなく、灰皿本体２に投棄された吸殻を原形のまま好適に乾燥させ、灰皿本体２の清掃を容易とする。
【図面の簡単な説明】
【００１３】
【図１】本考案の第１実施形態に係る灰皿を示す斜視図である。
【図２】図１のＡ−Ａ線断面図である。
【図３】本考案の第１実施形態に係る灰皿の分解状態を示しており、（Ａ）は斜視図、（Ｂ）は縦断面図である。
【図４】本考案の第２実施形態に係る灰皿を示す半裁断面図である。
【図５】本考案の第３実施形態に係る灰皿を示す縦断面図である。
【考案を実施するための形態】
【００１４】
以下図面に基づいて本考案の好ましい実施形態を詳述する。
【００１５】
［第１実施形態］
図１ないし図３は、本考案に係る灰皿の第１実施形態を示しており、灰皿１は、灰皿本体２と消火容器３を備えており、前記消火容器３を灰皿本体２に着脱自在に取付可能とする取付手段４を設けている。
【００１６】
灰皿本体２は、底壁５と周壁６を有する浅い皿状に形成されているが、深底状に形成しても良い。このような灰皿本体２は、鉄板等の金属板を加工することにより形成することが好ましいが、陶磁器製としても良く、熱硬化性等の樹脂製としても良い。
【００１７】
消火容器３は、上部開口状の容器部７と、該容器部７の上部開口８を囲むフランジ９を有している。図示実施形態の場合、鉄板等の金属板を加工することにより容器部７とフランジ９を一体に形成しているが、陶磁器製としても良く、熱硬化性等の樹脂製としても良い。
【００１８】
前記取付手段４は、灰皿本体２の底壁５に上下方向に貫設された筒部１０と、消火容器３の周壁１１により構成されており、灰皿本体２の上方から前記周壁１１を筒部１０に内嵌することが可能であり、図１（Ｂ）に示すように、内嵌状態で、フランジ９の基部が前記筒部１０の上端に載置されるストッパー１２を構成している。
【００１９】
（使用方法）
上記のように構成した第１実施形態に係る灰皿１は、図１及び図２に示すように、消火容器３を灰皿本体２に取付け、該消火容器３の容器部７に水その他の消化液Ｗを貯留した状態で使用される。
【００２０】
喫煙者は、喫煙に際して、火の付いた煙草Ｃ１をフランジ９に載せることができる。このように、フランジ９は、煙草の載置手段１３として機能する。
【００２１】
喫煙を終了した煙草Ｃ２は、火の付いた先端部を容器部７の上部開口８から消化液Ｗに浸漬することにより、極めて簡単に、瞬時に消火することができる。そして、消火されたことを目視により確認し、吸殻Ｃ３を灰皿本体２の底壁５に投棄すれば良い。
【００２２】
容器部７に消火液Ｗを充満させている場合、消化液Ｗに浸漬した煙草Ｃ２を持ち上げる際に消化液Ｗが上部開口８から外部に流出する可能性がある。流出した液体が灰皿本体２の底壁５に流下すると、該底壁５に滞留することにより、吸殻Ｃ３をほぐして分解するおそれがあるのに対して、本考案によれば、万一、消化液Ｗが流出しても、フランジ９に受止められるので、灰皿本体２の底壁５に液体を滞留することはなく、吸殻Ｃ３を原形のまま好適に乾燥させることができる。このように、フランジ９は、液受手段１４としても機能する。
【００２３】
（清掃方法）
使用後の灰皿１を清掃する際は、図３に示すように、灰皿本体２と消火容器３を分離し、それぞれを清掃すれば良い。
【００２４】
灰皿本体２は、下向きに裏返すことにより、吸殻Ｃ３と灰粉を簡単に落下させることができる。上述のように、吸殻Ｃ３は、ほぼ原形のまま乾燥されているので、底壁５に付着せず、好適に落下させられる。灰粉は、筒部１０に進入して付着する可能性があるが、筒部１０を底壁５に貫通させているので、該筒部１０の外部に容易に排出させることができる。
【００２５】
消火容器３は、下向きに裏返すことにより、消火容器３を落下させることができ、灰皿本体２から分離した状態で簡単容易に清掃することができる。
【００２６】
［第２実施形態］
図４は、本考案に係る灰皿の第２実施形態を示している。
【００２７】
灰皿本体２は、底壁５と周壁６を有し、底壁５を貫通する筒部１０を設けている。
【００２８】
消火容器３は、上部開口状の容器部７と、該容器部７の上部開口８を囲むフランジ９を有しており、該フランジ９の下方に位置して周壁１１から突出するストッパー１２ａを設けている。
【００２９】
前記消火容器３の周壁１１を灰皿本体２の筒部１０に挿脱自在に嵌挿することにより取付手段１１が構成されており、ストッパー１２ａが筒部１０の上端に載置される。
【００３０】
この状態で、消火容器３のフランジ９が筒部１０の上方位置に保持され、火の付いた煙草を載置可能とする載置手段１３として機能し、しかも、容器部７の上部開口８から流出する消火液を受止める液受手段１４として機能する。
【００３１】
［第３実施形態］
図５は、本考案に係る灰皿の第３実施形態を示している。
【００３２】
灰皿本体２は、底壁５と周壁６を有し、底壁５を貫通する筒部１０を設けており、該筒部１０に挿入固着された挿入筒９ａから筒部１０の外周に張り出すフランジ９を設けている。
【００３３】
消火容器３は、周壁１１を備えた上部開口状の容器部７を形成し、該容器部７の上部開口８から下向きに折曲形成されたストッパー１２ｂを設けている。
【００３４】
前記消火容器３の周壁１１を灰皿本体２の筒部１０に挿脱自在に嵌挿することにより取付手段１１が構成されており、ストッパー１２ｂがフランジ９に載置される。
【００３５】
この状態で、前記フランジ９が火の付いた煙草載置可能とする載置手段１３として機能し、しかも、容器部７の上部開口８から流出する消火液を受止める液受手段１４として機能する。
【符号の説明】
【００３６】
１  灰皿
２  灰皿本体
３  消火容器
４  取付手段
５  底壁
６  周壁
７  容器部
８  上部開口
９  フランジ
１０  筒部
１１  周壁
１２、１２ａ、１２ｂ  ストッパー
１３  載置手段
１４  液受手段
【図１】
0003190385.tif 000003
【図２】
0003190385.tif 000004
【図３】
0003190385.tif 000005
【図４】
0003190385.tif 000006
【図５】
0003190385.tif 000007